(57)【要約】【課題】座部材が不意に落下する事故が起こり難くして、安全性を高めた椅子を提供する。座部材の高さ調整機構を有する脚体の外観向上を図った椅子を提供する。【解決手段】椅子Ｃは、上台部材１、基台部材２、スペーサ３を備えている。上台部材１は、枠部材１０と、枠部材１０の両端側から下方に垂設してある上脚体１１と座部材１２を備えている。基台部材２は、所要間隔を設けて並設してある台座部材２０，２０と、各台座部材２０に立設してある下脚体２１を備えている。下脚体２１には、上脚体１１が収容可能な収容部２１０が形成されている。スペーサ３は、下脚体２１と略同じ断面形状を有している。椅子Ｃは、スペーサ３が取り付けられた上脚体１１を下脚体２１の収容部２１０に差し込んで組み立てられる。椅子Ｃは、長さの異なるスペーサに取り替えることで座部材１２の高さが調整可能である。【選択図】　　　　図１
2004105452.tif 000002
【特許請求の範囲】
【請求項１】
座部と、
座部の下面側から垂下して設けてある上脚体と、
立設してある下脚体と、
長さの異なる複数本のスペーサと、
を備えており、
上脚体、下脚体、スペーサは嵌め合い構造を有し、長さ方向に連結可能であり、スペーサを取り替えることで座部の高さが調整可能であることを特徴とする、椅子。
【請求項２】
座部と、
座部の下面側から垂下して設けてある上脚体と、
立設してあり、上脚体が内部に収容可能な下脚体と、
上脚体の外側に被せて着脱可能に取り付けられ、下端部が下脚体の上端部と直接的にまたは間接的に当接可能なスペーサと、
を備えており、
スペーサは、長さの異なるものが複数本備えてあり、取り替えることで座部の高さが調整可能であることを特徴とする、椅子。
【請求項３】
スペーサの表面は、取り付けた際に上脚体または下脚体の表面と面一または実質的に面一になるように形成されていることを特徴とする、請求項１または２記載の椅子。
【発明の詳細な説明】
【０００１】
【発明の属する技術分野】
本発明は座部の高さが調整可能な椅子に係り、更に詳しくは、座部が不意に落下するような事故が起こり難いようにして、安全性を高めたものに関する。また、座部の高さ調整機構を有する脚体の外観の向上を図ったものに関する。
【０００２】
【従来の技術】
従来から椅子の座部の高さを調整するための手段としては、例えば、接地して設ける下脚体の上部側に、座部側から垂設した上脚体の下部側を入れ子式に嵌め入れ、上脚体と下脚体とが重なった箇所に側方からピン等を差し込んで設けるようにしたものがある。この構造のものは、上脚体か下脚体のいずれか一方に穴が所要間隔で複数設けてあり、ピンの差し込み位置によって座部の高さが簡単に調整できる（例えば、特許文献１及び２参照）。
【０００３】
【特許文献１】
登録実用新案第３０４６０９４号公報
【特許文献２】
特開平９−１００５０号公報
【０００４】
【発明が解決しようとする課題】
しかし、上記した座部の高さを調整する手段には、次のような課題があった。
まず、上記した調整手段で使用するピンには、座部に腰掛けることにより常時剪断方向への荷重がかかっている。従って、長期間使用することにより、ピンは材料が疲労してしまい、荷重に耐えきれなくなり破壊されてしまうことがあった。このため従来の椅子は、座部が不意に落下するような事故の可能性が否定できず、安全性に問題があった。
【０００５】
また、従来の調整手段は、上脚体か下脚体に複数設けてある穴にピンを差し込んで調整する構造を有していたので、穴が露出して外観が見苦しくなることがあった。
更に、上脚体と下脚体は入れ子式で連結してあり段差があったので、これも外観を悪くする一つの要因であった。
【０００６】
（本発明の目的）
本発明の目的は、座部が不意に落下するような事故が起こり難いようにして、安全性を高めた椅子を提供することにある。
また、本発明の他の目的は、座部の高さ調整機構を有する脚体の外観の向上を図った椅子を提供することにある。
【０００７】
【課題を解決するための手段】
上記目的を達成するために講じた本発明の手段は次のとおりである。
第１の発明にあっては、
座部と、
座部の下面側から垂下して設けてある上脚体と、
立設してある下脚体と、
長さの異なる複数本のスペーサと、
を備えており、
上脚体、下脚体、スペーサは嵌め合い構造を有し、長さ方向に連結可能であり、スペーサを取り替えることで座部の高さが調整可能であることを特徴とする、
椅子である。
【０００８】
第２の発明にあっては、
座部と、
座部の下面側から垂下して設けてある上脚体と、
立設してあり、上脚体が内部に収容可能な下脚体と、
上脚体の外側に被せて着脱可能に取り付けられ、下端部が下脚体の上端部と直接的にまたは間接的に当接可能なスペーサと、
を備えており、
スペーサは、長さの異なるものが複数本備えてあり、取り替えることで座部の高さが調整可能であることを特徴とする、
椅子である。
【０００９】
第３の発明にあっては、
スペーサの表面は、取り付けた際に上脚体または下脚体の表面と面一または実質的に面一になるように形成されていることを特徴とする、
第１または第２の発明に係る椅子である。
【００１０】
本明細書でいう「嵌め合い構造」とは、一の部材を他の部材の内部に嵌め込んだり（他の部材を一の部材の外部に被せたり）、他の部材を一の部材の内部に嵌め込んだり（一の部材を他の部材の外部に被せたり）して、一の部材と他の部材とを連結する構造を示している。
【００１１】
本明細書でいう「間接的に当接」とは、直接的には当接しておらず、何らかの部材を介在させた状態で当接しているような場合を示すものである。
【００１２】
本発明に係る椅子は、座部と、座部の下面側から垂下して設けてある上脚体と、立設してあり、上脚体の内部に収容可能な下脚体と、下脚体の外側に被せて着脱可能に取り付けられ、上端部が上脚体の下端部と直接的にまたは間接的に当接可能なスペーサとを備えており、スペーサは、長さの異なるものが複数本備えてあり、取り替えることで座部の高さが調整可能であるように構成することもできる。
この場合の椅子は、下脚体の外側にスペーサを被せて取り付け、下脚体を上脚体の内部に収容して、スペーサの上端部を上脚体の下端部に直接的にまたは間接的に当接させて上脚体と下脚体を連結することにより組み立てられる。
【００１３】
（作　用）
本発明に係る椅子は、上脚体と、下脚体と、スペーサを嵌め合い構造で長さ方向に連結することにより組み立てられる。
また、本発明に係る椅子は、上脚体の外側にスペーサを被せて取り付け、上脚体を下脚体の内部に収容して、スペーサの下端部を下脚体の上端部に直接的にまたは間接的に当接させて上脚体と下脚体を連結することにより組み立てられる。
本発明に係る椅子は、長さの異なるスペーサを取り替えることで座部の高さの調整が可能である。
【００１４】
本発明に係る椅子は、座部の高さを変えるための構造が、従来のようなピンを側方から差し込んで上脚体と下脚体を固定するものではなく、長さの異なるスペーサを用意し、このスペーサによっていわば座部の下方の所要の長さ部分を埋めるようにしたものである。従って、スペーサは構造的に相当な強度を有しており、また、通常の使用においてスペーサに破壊される程の力がかかることはないので、椅子は座部が不意に落下するといった心配がなく、安全性が高い。
【００１５】
スペーサの表面が、取り付けた際に上脚体または下脚体の表面と面一または実質的に面一になるように形成されているものは、座部の高さを調整する機構を有する脚体に段差ができないので外観が良好である。
【００１６】
【発明の実施の形態】
本発明の実施の形態を図面に基づき更に詳細に説明する。
図１は本発明に係る椅子の一実施の形態を示す斜視説明図、
図２は図１に示す椅子の分解斜視説明図、
図３は図１に示す椅子のスペーサを取り替えて、座部の高さを高くした状態を示す斜視説明図である。
符号Ｃは椅子を示している。椅子Ｃは、上台部材１、基台部材２、長さの異なるスペーサ３とスペーサ４（図３参照）を備えている。本実施の形態で示す椅子Ｃは、二人掛けのものであり、主にゲームセンター等の娯楽施設に設置してある業務用ゲーム機器での使用に適したものである。
【００１７】
上台部材１は、棒状の部材を曲げて略長方形状を有するように形成してある枠部材１０と、枠部材１０の両端側（短辺側）から下方に垂設してある上脚体１１と、枠部材１０の上部に取り付けられる座部材１２を備えている。
【００１８】
枠部材１０の両端側と略中央には、所要の厚みを有する平鋼１００が相対する長辺間に架け渡して固着（溶接）してある。各平鋼１００の両端側には、それぞれ貫通孔（符号省略）が形成されている。枠部材１０を形成する棒状の部材としては、特に限定するものではないが、例えば、丸パイプ、角パイプ、丸鋼、角鋼等が使用できる。
【００１９】
上脚体１１は、所要長さを有する断面「コ」字形状の部材（例えば、Ｃ型チャンネル）を使用してつくられている。上脚体１１は、枠部材１０の両端側に設けられた平鋼１００，１００の裏面に上端部を当接させて、開口側が内側に対向するようにして取り付けられている。本実施の形態で示す上脚体１１は、約３８０ｍｍの長さを有するように設定した。
【００２０】
座部材１２は、枠部材１０で囲まれた内側部分と略同じ大きさを有する木製の底板材（図示省略）の上部に、クッション性または柔軟性を有する緩衝材（図示省略）を設け、ビロード（ベルベット）地の被覆布（符号省略）で全体を覆うことでつくられている。座部材１２は、枠部材１０の平鋼１００上に載置し、裏面側から貫通孔を通して木ねじＮをねじ込むことで、枠部材１０と一体に固定されている。緩衝材としては、特に限定するものではないが、例えば、ウレタンフォーム（スポンジ）、綿等が使用可能である。また、被覆布もビロード地に限定されない。
【００２１】
基台部材２は、所要間隔を設けて並設してある台座部材２０，２０と、各台座部材２０に立設してある下脚体２１と、下脚体２１，２１の間に架け渡してある連結杆２２と、各台座部材２０の先部側に立設してある支持部材２３と、支持部材２３，２３の上部間に架け渡してある足載せ部材２４を備えている。
【００２２】
各台座部材２０は、所要長さを有する角筒部材で形成されている。台座部材２０，２０は、幅広面が接地するように設けられている。なお、本実施の形態で台座部材２は、角筒部材を使用して形成したものを示したが、これは限定するものではなく、例えば、中実の角柱部材等を使用することもできる。
【００２３】
下脚体２１は、所要長さを有する角筒部材を使用してつくられており、内部には上脚体１１が収容可能な収容部２１０が形成されている。下脚体２１の収容部２１０は、上脚体１１が実質的に隙間無く嵌め入れられ、がたつきが生じないような大きさに形成されている。なお、符号２１３は下脚体２１の上端部を示している。本実施の形態で示す下脚体２１は、約３６０ｍｍの長さを有するように設定した。
【００２４】
各下脚体２１のうち対向する面の上部側には、収容部２１０内に嵌めた上脚体１１を固定するための押圧部材２１１がそれぞれ設けられている。押圧部材２１１は、下脚体２１の壁部にネジ溝を有する穴を設け、その穴に六角ボルトを螺合して構成してある。
【００２５】
また、下脚体２１のうち押圧部材２１１が設けられた面のやや下側には、連結杆２２の端部を取り付けるための貫通孔（図示省略）が設けられている。貫通孔は、頭付きボルトの螺旋部が挿通する大きさ（頭部は通らない）に形成されている。貫通孔と反対側となる下脚体２１の面には、ボルトやレンチ等を挿入するための操作穴２１２が形成されている。
【００２６】
連結杆２２は丸パイプで形成されており、両端には閉塞壁（図では見えない）が設けられている。各閉塞壁には、ネジ溝を有する穴が形成してある。連結杆２２は、閉塞壁の穴を下脚体２１の貫通孔と合わせ、操作穴２１２から六角穴付きボルトを挿入して閉塞壁のネジ溝にねじ込むことで、下脚体２１と連結してある。
【００２７】
支持部材２３，２３及び足載せ部材２４は、共に丸パイプで形成されている。各支持部材２３は、下端部を台座部材２０に固着（溶接）しており、足載せ部材２４は、支持部材２３，２３の上部に固着（溶接）してある。本実施の形態で示す支持部材２３は、約１４０ｍｍの長さを有するように設定し、支持部材２３は、約８２０ｍｍの長さを有するように設定した。
【００２８】
本実施の形態で連結杆２２、支持部材２３，２３及び足載せ部材２４は、丸パイプを使用して形成したものを示したが、これは限定するものではなく、例えば、角パイプ、丸鋼、角鋼等を使用することもできる。
【００２９】
スペーサ３とスペーサ４は、共に下脚体２１と略同じ断面形状を有する角筒部材を使用してつくられている。符号３０はスペーサ３の下端部を示しており、符号４０はスペーサ４の下端部を示している。本実施の形態で示すスペーサ３は、長さの短いタイプのもので、約１４０ｍｍの長さを有するように設定した。また、スペーサ４は、長さの長いタイプのもので、約２４０ｍｍの長さを有するように設定した。スペーサ３とスペーサ４は、用途に応じていずれか一方を適宜選択して、上脚体１１の外側に被せて（上脚体１１を内部に嵌め入れて）使用される。
【００３０】
本実施の形態において椅子Ｃを構成する部品は、座部材１２以外、全て金属製のものを使用した。しかし、これは限定するものではなく、強度等において支障がなければ、例えば、合成樹脂等を使用することもできる。
【００３１】
（作　用）
図１ないし図３を参照して本実施の形態で示す椅子Ｃの作用を説明する。
椅子Ｃは、長さの異なるスペーサ３とスペーサ４を有しており、このスペーサ３とスペーサ４を取り替えることにより、座部材１２の高さを変えることができる。椅子Ｃは、次のように組み立てられる。
【００３２】
まず、上台部材１の上脚体１１，１１の外側に、スペーサ３，３（またはスペーサ４，４）を被せて取り付ける。各スペーサ３（４）は上端部が平鋼１００の裏面と当たるようにし、下端部３０（４０）からは上脚体１１の下部側が突出するように取り付ける。
【００３３】
そして、スペーサ３（４）を貫通して突出した部分を、下脚体２１の収容部２１０に差し込んで、スペーサ３（４）の下端部３０（４０）を下脚体２１の上端部２１３と当てて、上脚体１１と下脚体２１とを連結する。
【００３４】
この状態で上脚体１１は、スペーサ３（４）で覆われており、下部側は下脚体２１内に差し込まれているので外部に露出しない。また、下脚体２１とスペーサ３（４）は、スペーサ３（４）が下脚体と略同じ断面形状を有する角筒部材で形成してあるので、表面が略面一の状態になっている。
最後に、押圧部材２１１によって上脚体１１と下脚体２１の連結を固定する。
【００３５】
本実施の形態で示す椅子Ｃは、スペーサ３を取り付けた状態で座部材１２（の表面）が床面より約６２０ｍｍの高さに位置し、スペーサ４を取り付けた状態で床面より約７２０ｍｍの高さに位置するようになる。
このように椅子Ｃは、ゲーム機器の種類により、スペーサ３を選択して座部材１２の高さが低い状態にしたり、スペーサ４を選択して座部材１２の高さが高い状態にしたりして使用される。
【００３６】
椅子Ｃは、座部材１２の高さを変えるための構造が、従来のようなピンを側方から差し込んで上脚体と下脚体を固定するものではなく、スペーサによっていわば下脚体２１と座部材１２（枠部材１０）の間の所要の長さ部分を埋めるようにしたものである。従って、スペーサ３（４）は構造的に相当な強度を有しており、また、通常の使用においてスペーサ３（４）に破壊される程の力がかかることはないので、椅子Ｃは座部材１２が不意に落下するといった心配がなく、安全性が高い。
【００３７】
椅子Ｃは、上脚体１１を下脚体２１の収容部２１０内に差し込む入れ子式のものであるが、上脚体１１の外側に被せられるスペーサ３（４）が下脚体２１の表面と略面一の状態になるので、外観が良好である。
【００３８】
本実施の形態で下脚体２１とスペーサ３，４は、角筒部材を使用して形成したものを示したが、これは限定するものではなく、下脚体とスペーサは略同じ断面形状を有するようにしてあれば、例えば、円筒部材、楕円筒部材等を使用することもできる。また、このことに伴いスペーサが被さる上脚体の形状も特に限定するものではない。
【００３９】
本実施の形態で示す具体的な寸法（大きさ、長さ）を表す数値は、椅子Ｃの構成の理解を容易にするために記載したものであって、本実施の形態で示す椅子Ｃを上記した寸法のものに限定する意図はない。例えば、椅子Ｃは、二人掛けのものを示したが、一人掛け用のものを形成することもできるし、三人掛け用のものを形成することもできる。また、スペーサの長さ等を変えて座部材の高さも任意に設定することが可能である。
【００４０】
本実施の形態で示す椅子Ｃは、スペーサ３（４）が上脚体１１の外側に被せて取り付けられるものを示したが、これは限定するものではなく、例えば、下脚体の外側にスペーサが取り付けられるようにすることもできる。この場合では、スペーサの上端部が上脚体の下端部と当たる。
【００４１】
本実施の形態で椅子Ｃは、ゲームセンター等の娯楽施設に設置してある業務用ゲーム機器で使用するためのものを示したが、椅子の用途は、特に限定するものではない。
【００４２】
本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形態様が可能であるということは言うまでもない。
【００４３】
【発明の効果】
（ａ）本発明に係る椅子は、座部の高さを変えるための構造が、従来のようなピンを側方から差し込んで上脚体と下脚体を固定するものではなく、長さの異なるスペーサを用意し、このスペーサによっていわば座部の下方の所要の長さ部分を埋めるようにしたものである。従って、スペーサは構造的に相当な強度を有しており、また、通常の使用においてスペーサに破壊される程の力がかかることはないので、椅子は座部が不意に落下するといった心配がなく、安全性が高い。
【００４４】
（ｂ）スペーサの表面が、取り付けた際に上脚体または下脚体の表面と面一または実質的に面一になるように形成されているものは、座部の高さを調整する機構を有する脚体に段差ができないので外観が良好である。
【図面の簡単な説明】
【図１】本発明に係る椅子の一実施の形態を示す斜視説明図。
【図２】図１に示す椅子の分解斜視説明図。
【図３】図１に示す椅子のスペーサを取り替えて、座部の高さを高くした状態を示す斜視説明図。
【符号の説明】
Ｃ　椅子
１　上台部材
１０　枠部材
１００　平鋼
１１　上脚体
１２　座部材
２　基台部材
２０　台座部材
２１　下脚体
２１０　収容部
２１１　押圧部材
２１２　操作穴
２１３　上端部
２２　連結杆
２３　支持部材
２４　足載せ部材
３　スペーサ
３０　下端部
４　スペーサ
４０　下端部
【図１】
2004105452.tif 000003
【図２】
2004105452.tif 000004
【図３】
2004105452.tif 000005